【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
第一及び第二の連続した反応帯で実施するオレフィンポリマーグラフトコポリマーを製造する方法であって、該反応帯内をラジカル重合条件及び実質的非酸化環境に保持しつつ該反応帯にオレフィンポリマーの粒子及び１種以上のラジカル重合性モノマーを供給し、そこからグラフトコポリマー粒子生成物を排出させる方法において、グラフトコポリマー粒子が迅速な流動条件下で前記第一の反応帯を流動し、前記第一の反応帯を離れて、重力によりプラグ流れ様式で移動する前記第二の反応帯に入り、前記第二の反応帯を離れて、前記第一の反応帯に再び入ることにより、２つの反応帯間のポリマーの循環が確立されることを特徴とする方法。
【請求項２】
迅速な流動条件が、第一の反応帯へのコポリマー粒子の再導入点より低い点で、１種以上のラジカル重合性モノマー及び酸化に不活性なガス又は飽和脂肪族炭化水素を含む混合物を第一の反応帯に供給することにより確立される請求項１記載の方法。
【請求項３】
前記混合物の気相中の速度が２乃至１５m/s である請求項２記載の方法。
【請求項４】
２つの反応帯間のグラフトコポリマー粒子の循環が、前記第二の反応帯を離れるグラフトコポリマーの量を制御することによりもたらされる請求項１記載の方法。
【請求項５】
前記第一の反応帯を離れる気相中のグラフトコポリマー粒子及び混合物が固体／ガス分離帯に搬送され、前記固体／ガス分離帯を離れるグラフトコポリマー粒子が前記第二の反応帯に入る請求項２記載の方法。
【請求項６】
前記固体／ガス分離帯を離れる気体状混合物が圧縮されて第一の反応帯に移される請求項５記載の方法。
【請求項７】
前記固体／ガス分離帯を離れる気体状混合物の一部が、グラフトコポリマーを第二の反応帯から第一の反応帯に移すために使用される請求項６記載の方法。
【請求項８】
方法が連続している請求項１記載の方法。
【請求項９】
反応帯の温度制御が外部熱交換器を用いることによりもたらされる請求項１記載の方法。
【請求項１０】
ラジカル開始剤がペルオキシドである請求項１記載の方法。
【請求項１１】
ラジカル開始剤及びラジカル重合性モノマーをいずれかの反応帯に一緒又は別々に供給する請求項１０記載の方法。
【請求項１２】
ポリオレフィンをいずれかの反応帯に導入する前に開始剤で予備処理する請求項１０記載の方法。
【請求項１３】
ラジカル重合条件が照射により発生する請求項１記載の方法。
【請求項１４】
ポリオレフィングラフトコポリマー生成物を、残存ラジカルを失活させかつ未反応モノマーを除去するために処理する請求項１記載の方法。
【請求項１５】
オレフィンポリマーが、直鎖状又は分枝鎖状のＣ2〜Ｃ8のα‐オレフィンのホモポリマー、ランダムコポリマー及びターポリマー及び直鎖状又は分枝鎖状のＣ2〜Ｃ8のα‐オレフィンの耐衝撃性改良ホモポリマー及びコポリマーから成る群から選択される請求項１記載の方法。
【請求項１６】
ラジカル重合性モノマーが、ビニル置換芳香族、ヘテロ環及び脂環式化合物、不飽和脂肪族カルボン酸及びそれらの誘導体、不飽和脂肪族ニトリル、芳香族及び飽和脂肪族カルボン酸のビニルエステル、ジビニル化合物及びそれらの混合物から成る群から選択される請求項１記載の方法。
【請求項１７】
前記グラフトコポリマー生成物を前記第二の反応帯から連続的に排出させる請求項８記載の方法。
【請求項１８】
接続セクションにより相互に作動可能に接続されている第一及び第二の反応帯を有する反応装置であって、大気に対して閉じられている反応装置を提供し、
酸化に不活性な流動ガスを前記第一の反応帯に注入し、それにより流動ガス速度を確立させ、
オレフィンポリマー粒子及びラジカル重合性モノマーを前記第一の反応帯に供給し、
ラジカル重合開始剤を前記ラジカル重合性モノマーと別々又は混合して前記第一の反応帯に注入するか、又は照射されたオレフィンポリマー粒子及び前記ラジカル重合性モノマーを前記第一の反応帯内に注入することにより前記オレフィンポリマー粒子及び前記ラジカル重合性モノマーを反応させて複数のグラフトコポリマー粒子を形成し、
前記グラフトコポリマー粒子を前記第一の反応帯から前記第一の接続セクションを通して前記第二の反応帯に移し、
前記グラフトコポリマー粒子が前記第二の反応帯に入るのを許容する前に、前記流動ガスの少なくとも一部を前記グラフトコポリマー粒子から分離し、
前記グラフトコポリマー粒子及び未反応ラジカル重合性モノマーを前記第二の反応帯内で反応させ、
前記グラフトコポリマー粒子の少なくとも一部が前記第二の反応帯から前記第二の接続セクションに入るのを許容し、かつ
前記グラフトコポリマー粒子の一部を前記第一の反応帯に移し、それによりポリマー粒子が前記第一の反応帯、前記第一の接続セクション、前記第二の反応帯、前記第二の接続セクションをとおり、前記第一の反応帯にもどる循環を確立させる
ことを特徴とするオレフィンポリマーグラフトコポリマーを製造する方法。
【請求項１９】
接続セクションにより相互に作動可能に接続されている第一及び第二の反応帯を有する反応装置であって、大気に対して閉じられている反応装置を提供し、
酸化に不活性な流動ガスを前記第一の反応帯に注入し、それにより流動ガス速度を確立させ、
オレフィンポリマー粒子及びラジカル重合性モノマーを前記第一の反応帯に供給し、
ラジカル重合開始剤を前記ラジカル重合性モノマーと別々又は混合して前記第一の反応帯に注入するか、又は照射されたオレフィンポリマー粒子及び前記ラジカル重合性モノマーを前記第一の反応帯内に注入することにより前記オレフィンポリマー粒子及び前記ラジカル重合性モノマーを反応させて複数のグラフトコポリマー粒子を形成し、
前記グラフトコポリマー粒子を前記第一の反応帯から前記第一の接続セクションを通して前記第二の反応帯に移し、
前記グラフトコポリマー粒子が前記第二の反応帯に入るのを許容する前に、前記流動ガスの少なくとも一部を前記グラフトコポリマー粒子から分離し、
ラジカル重合開始剤を単独又はラジカル重合性モノマーと混合して前記第二の反応帯に注入し、
前記グラフトコポリマー粒子及び未反応ラジカル重合性モノマーを前記第二の反応帯内で反応させ、
前記グラフトコポリマー粒子の少なくとも一部が前記第二の反応帯から前記第二の接続セクションに入るのを許容し、かつ
前記グラフトコポリマー粒子の一部を前記第一の反応帯に移し、それによりポリマー粒子が前記第一の反応帯、前記第一の接続セクション、前記第二の反応帯、前記第二の接続セクションをとおり、前記第一の反応帯にもどる循環を確立させる
ことを特徴とするオレフィンポリマーグラフトコポリマーを製造する方法。
【請求項２０】
第一及び第二接続セクションにより相互に作動可能に接続されている第一及び第二の反応帯を含有し、かつ大気に対して閉じられているオレフィンポリマーグラフトコポリマーの製造装置であって、
前記第二の反応帯に対して流動ガス速度を確立させうる、酸化に不活性な流動ガスを前記第一の反応帯に注入する手段、
前記流動ガス速度より遅い輸送速度が確立されうるような量のオレフィンポリマー粒子及びラジカル重合性モノマーを前記第一の反応帯に供給する手段、
前記第一の反応帯内で複数のグラフトコポリマー粒子を形成するために前記オレフィンポリマー粒子及び前記ラジカル重合性モノマーの反応を開始させる手段、
前記グラフトコポリマー粒子を前記第二の反応帯に入れる前に、前記流動ガスの少なくとも一部を前記グラフトコポリマー粒子から分離する手段、
前記第二の反応帯内で前記グラフトコポリマー粒子及び未反応ラジカル重合性モノマーの反応を開始させる手段、
前記グラフトコポリマー粒子の少なくとも一部を前記第二の反応帯から前記第二の接続セクションに入れる手段、
前記グラフトコポリマー粒子の一部を追加の流動ガスにより前記第二の接続セクションより前記第一の反応帯に移し、それによりポリマー粒子が前記第一の反応帯、前記第一の接続セクション、前記第二の反応帯、前記第二の接続セクションをとおり、前記第一の反応帯にもどる循環を確立させる手段、及び
前記グラフトコポリマー粒子を前記反応装置から排出させる手段、
を含むことを特徴とするオレフィンポリマーグラフトコポリマーの製造装置。
【請求項２１】
第一及び第二接続セクションにより相互に作動可能に接続されている第一及び第二の反応帯を含有し、かつ大気に対して閉じられているオレフィンポリマーグラフトコポリマーの製造装置であって、
前記第二の反応帯に対して流動ガス速度を確立させうる、酸化に不活性な流動ガスを前記第一の反応帯に注入する手段、
前記流動ガス速度より遅い輸送速度が確立されうるような量のオレフィンポリマー粒子及びラジカル重合性モノマーを前記第一の反応帯に供給する手段、
前記第一の反応帯内で複数のグラフトコポリマー粒子を形成するために前記オレフィンポリマー粒子及び前記ラジカル重合性モノマーの反応を開始させる手段、
前記グラフトコポリマー粒子を前記第二の反応帯に入れる前に、前記流動ガスの少なくとも一部を前記グラフトコポリマー粒子から分離する手段、
ラジカル重合開始剤を単独又はラジカル重合性モノマーと混合して前記第二の反応帯に供給する手段、
前記第二の反応帯内で前記グラフトコポリマー粒子及び未反応ラジカル重合性モノマーの反応を開始させる手段、
前記グラフトコポリマー粒子の少なくとも一部を前記第二の反応帯から前記第二の接続セクションに入れる手段、
前記グラフトコポリマー粒子の一部を追加の流動ガスにより前記第二の接続セクションより前記第一の反応帯に移し、それによりポリマー粒子が前記第一の反応帯、前記第一の接続セクション、前記第二の反応帯、前記第二の接続セクションをとおり、前記第一の反応帯にもどる循環を確立させる手段、及び
前記グラフトコポリマー粒子を前記反応装置から排出させる手段、を含むことを特徴とするオレフィンポリマーグラフトコポリマーの製造装置。